(57)【要約】【課題】既設の自動ドア装置への後付けが容易で、安価に設置できる、こじ開け防止用のロック装置を提供する。【解決手段】ロック装置１を、左右ドア体Ｄにそれぞれ螺合固着され、フック片２２を出没可能な掛金部材２と、掛金部材２から出現したフック片２２が係脱する受金部材３とで構成する。掛金部材２は、ドア体Dに取り付けられる枠体２１の内部に、受金部材３に対し係合離脱自在のフック片２２と、フック片２２を解錠位置に保持するように係合し、フック片２２から離脱操作することによりフック片２２を施錠位置に回転操作できる施錠レバー２３とを備える。受金部材３は、ドア体Dに取り付けられる枠体３１の内部に、フック片２２を施錠位置で受ける保持ピン３２と、フック片２２を施錠位置に保持するように係合し、フック片２２から離脱操作することによりフック片２２を解錠位置に回転操作できる解施錠レバー３３とを備える。【選択図】図２
2011256585.tif 000002
【特許請求の範囲】
【請求項１】
閉鎖位置において端部が互いに突き合わされる左右一対のドア体を備える引き戸式自動ドア装置において、左右ドア体を閉鎖位置で拘束するためのロック装置であって、
左右ドア体の突き合わせ側端部付近の室内側面である前面にそれぞれ螺合固着され、フック片を出没可能な掛金部材と、掛金部材から出現したフック片が係合離脱可能な受金部材とを具備し、
前記掛金部材は、ドア体の前面に取り付けられる枠体に枢着され、前記受金部材から離れた解錠位置と枠体から突出して前記受金部材に係合する施錠位置との間をドア体の前面に沿って往復回転自在な前記フック片と、このフック片に固定されフック片を回転操作する摘みと、解錠位置にあるフック片に係合するように付勢されつつ枠体に枢着され、係合状態で前記フック片を解錠位置に保持する一方、施錠位置への回転を許容するようにフック片から離脱操作可能な施錠レバーとを備え、
前記受金部材は、前記ドア体の前面に取り付けられる枠体に設けられ、前記フック片を施錠位置に支持する支持部と、施錠位置にある前記フック片に係合するように付勢されつつ枠体に枢着され、係合状態で前記フック片を施錠位置に保持する一方、解錠位置への回転を許容するようにフック片から離脱操作可能な解錠レバーとを備え、
前記フック片に前記解錠レバーが係合した施錠位置において、掛金部材が受金部材に結合し、一対のドア体の開放を阻止することを特徴とする引き戸式自動ドア装置のロック装置。
【発明の詳細な説明】
【技術分野】
【０００１】
この発明は、建物の出入り口に設けられる引き戸式の自動ドア装置において、一対のドア体を閉鎖位置において錠止するロック装置に関し、更に詳しくは、施錠状態の一対のドア体が強制的にガイド溝から持ち上げられても両者の結合が外れることがない、自動ドアのこじ開け防止用のロック装置に係るものである。
【背景技術】
【０００２】
建物の出入り口となる開口部に左右一対のドア体を設け、このドア体を自動開閉機構により開口部の幅方向（左右方向）に開閉作動させるようにした引き戸式の自動ドア装置が知られている。このような自動ドア装置においては、ドア体の戸先側に、下方に向けて出没自在にロック体が設けられ、ドア体の移動案内をするガイド溝にロック受けが設けられる。全閉姿勢のドア体から下方に向けて突出するロック体が、ロック受けに係合することにより、ドア体の開放規制を行う。ところが、このようなロック装置においては、ドア体をバール等で強くこじ上げるような動作があった場合には、ロック体とロック受けとの係合が解除されることがあり、この状態でドア体を開方向へ移動させるとドアが開放してしまう。
その対策の一例として、ドア体の下部に設けた係合部と、ガイド溝内に設けた被係合部とを備えた自動ドア装置であって、係合部と被係合部に、ドア体を全閉状態で上方移動させようとした際に係合してこれを阻止すると共に、同ドア体を上方移動と同時に開方向移動させようとした際にも係合してこれを阻止するように、それぞれに上下で対向するフック部が形成されたものが知られている（例えば、特許文献１参照）。
【先行技術文献】
【特許文献】
【０００３】
【特許文献１】特開平１１−３３６４１０号公報
【発明の概要】
【発明が解決しようとする課題】
【０００４】
前記従来のものは、ドア体の下端面にロック片を固定する構成となっている。このため、ドア体を新規に設置する場合には適用に大きな問題はないが、既設のドア装置へ後付けで適用しようとする場合には、ドア体をガイドレールから取り外し、ドア体とガイドレールとにそれぞれロック片を設けなければならず、作業に大きな手数を要し、速やかな対応が困難であり、またコスト高になるという問題点がある。ここに本発明の解決すべき課題がある。
したがって、この出願に係る発明は、既設の自動ドア装置への後付けが容易で、安価に設置できるこじ開け防止用のロック装置を提供することを目的としている。
【課題を解決するための手段】
【０００５】
以下、添付図面の符号を参照して説明するが、本発明はこれに限定されるものではない。
上記課題を解決するための、この出願に係る発明のロック装置１は、左右ドア体Ｄを閉鎖位置で拘束する装置であり、左右ドア体Ｄの突き合わせ側端部付近の室内側面である前面にそれぞれ螺合固着され、フック片２２を出没可能な掛金部材２と、掛金部材２から出現したフック片２２が係合離脱可能な受金部材３とを具備する。掛金部材２は、ドア体Ｄの前面に取り付けられる枠体２１と、枠体２１に枢着され、受金部材３から離れた解錠位置と枠体２１から突出して受金部材３に係合する施錠位置との間をドア体Ｄの前面に沿って往復回転自在なフック片２２と、このフック片２２に固定されフック片２２を回転操作する摘み２２ｂと、解錠位置にあるフック片２２に係合するように付勢されつつ枠体２１に枢着され、係合状態でフック片２２を解錠位置に保持する一方、施錠位置への回転を許容するようにフック片２２から離脱操作可能な施錠レバー２３とを備える。受金部材３は、ドア体Ｄの前面に取り付けられる枠体３１と、枠体３１に設けられ、フック片２２を施錠位置に支持する支持部３２と、施錠位置にあるフック片２２に係合するように付勢されつつ枠体３１に枢着され、係合状態でフック片２２を施錠位置に保持する一方、解錠位置への回転を許容するようにフック片２２から離脱操作可能な解錠レバー３３とを備える。フック片２２に解錠レバー２３が係合した施錠位置において、掛金部材２が受金部材３に結合し、一対のドア体Ｄの開放を阻止する。
【発明の効果】
【０００６】
この出願に係る発明の装置は、構造が極めて簡単で、安価に得られ、既設の自動ドア装置へ後付けする場合に、ドア体の前面側に受金部材を螺合固着するだけで、極めて容易に取り付けが完了し、それにより、自動ドアのこじ開けを有効に阻止することができる。
【図面の簡単な説明】
【０００７】
【図１】本発明に係る引き戸式自動ドア装置のロック装置の取付状態の斜視図である。
【図２】図１のロック装置の縦断面図である。
【図３】枠体の一部を切り欠いた解錠状態の掛金部材の側面図である。
【図４】枠体の一部を切り欠いた施錠状態の受金部材の側面図である。
【発明を実施するための形態】
【０００８】
図面を参照してこの発明の実施の形態を説明する。
図１において、ロック装置１は、閉鎖位置において端部が互いに突き合わされる左右一対のドア体Dを備える引き戸式自動ドア装置において、左右ドア体Dを閉鎖位置で拘束するための装置である。ロック装置１は、左右ドア体Dの突き合わせ側端部付近の室内側面（前面）にそれぞれ固着される掛金部材２と受金部材３とを備える。
【０００９】
図２，図３に示すように、掛金部材２は、ドア体Dに取り付けられる矩形箱状の枠体２１と、この内部に設けられ受金部材３に対し係合離脱自在のフック片２２と、フック片２２を解錠位置に保持し施錠操作可能な施錠レバー２３とを備える。
枠体２１は金属板材で形成され、ねじにてドア体Dに固着される取付板部２１ａと、これに対向し、縁部が取付板部２１ａに向かって直角に屈曲して取付板部２１ａに結合するカバー部２１ｂとを備えている。枠体２１はドア体Ｄの突き当たり端部側面が開放している。
フック片２２は金属製長尺片で構成され、基端部が枠体２１の下部において取付板部２１ａとカバー部２１ｂとの間にわたって支持された枢軸２２ａにより枠体２１内で回転自在に軸支されている。枢軸２２ａの一端には、枠体２１の外側でフック片２２を回転操作するための摘み２２ｂが固定されている。フック片２２の先端部には直交方向に突出した爪部２２ｃと、長手方向に突出した係合突部２２ｄとを備えている。
施錠レバー２３は、中間部が略直角に屈曲した長尺金属板により形成され、両側縁から立ち上がったブラケット部２３ａにより枠体２１の上部に回転自在に軸支される。施錠レバー２３の一端部には、起立したフック片２２の係合突部２２ｄの軌道上に張り出してフック片２２の施錠位置に向かう回転を阻止するストッパ部２３ｂを備える。施錠レバー２３の他端部には、カバー部２１ｂの切欠き孔２１ｃを通して枠体２１の上部外側に突出し、水平方向に移動させることにより施錠レバー２３を回転させてストッパ部２３ｂをフック片２２から上方へ離脱させる操作部２３ｃを備えている。施錠レバー２３の枢軸上には、ストッパ部２３ｂを枠体２１の上板面から押し離すばね２３ｄが巻かれており、施錠レバー２３はフック片２２との係合方向に回転付勢される。
【００１０】
図２，図４に示すように、受金部材３は、ドア体Dに取り付けられる矩形箱状の枠体３１と、この内部に設けられ掛金部材２のフック片２２を係合離脱自在に載せ受ける保持ピン３２と、フック片２２を施錠位置に保持する解錠レバー３３とを備える。
枠体３１は金属板材で形成され、ねじにてドア体Dに固着される取付板部３１ａと、これに対向し、縁部が取付板部３１ａに向かって直角に屈曲して取付板部３１ａに結合するカバー部３１ｂとを備えている。枠体３１はドア体Ｄの突き当たり端部側面が開放している。
保持ピン３２は、枠体３１の下部において取付板部３１ａとカバー部３１ｂとの間をわたるように固定されており、掛け金部材２のフック片２２が載って爪部２２ｃがドア体Ｄの開放方向に掛け止められる。
解錠レバー３３は長尺金属板で形成され、両側縁から立ち上がったブラケット部３３ａにより枠体３１の上部に回転自在に軸支される。解錠レバー３３の一端部には、倒伏したフック片２２の回転進路上に張り出してフック片２２の解錠位置に向かう回転を阻止するストッパ部３３ｂを備える。解錠レバー３３の他端部には、カバー部３１ｂの切欠き孔３１ｃを通して枠体３１の上部外側に突出し、水平方向に移動させることにより解錠レバー３３を回転させてストッパ部３３ｂをフック片２２から横方向へ離脱させる操作部３３ｃを備えている。解錠レバー３３の枢軸上にはストッパ部３３ｂを枠体３１の側板から押し離すばね３３ｄが巻かれており、解錠レバー３３はフック片２２との係合方向に回転付勢される。
【００１１】
掛金部材２のフック片２２が解錠位置にあると、施錠レバー２３のストッパ部２３ｂがフック片２２の施錠位置への回転進路上に張り出しているので、フック片２２を回転できず摘み２２ｂを操作できない。この状態で、施錠レバー２３の操作部２３ｃをばね２３ｄの付勢に抗して施錠方向に移動操作すると、施錠レバー２３が回転してストッパ部２３ｂがフック片２２の回転進路から離脱するので、フック片２２の摘み２２ｂを操作してフック片２２を受金部材３側に回転させることができる。フック片２２は回転途上で解錠レバー３３を押し退けて、保持ピン３２に載る施錠位置に至る。フック片２２が施錠位置にあると、解錠レバー３３のストッパ部３３ｂがフック片２２の解錠位置への回転進路上に張り出しているので、フック片２２を回転できず摘み２２ｂを操作できない。この状態で、解錠レバー３３の操作部３３ｃをばね３３ｄの付勢に抗して解錠方向に移動操作すると、解錠レバー３３が回転してストッパ部３３ｂがフック片２２の回転進路から離脱するので、摘み２２ｂを操作してフック片２２を掛金部材２側に回転させることができる。フック片２２は回転途上で施錠レバー２３を押し退けて、解錠位置に至る。
【００１２】
ドア体Ｄにこのロック装置１が装着されると、閉鎖状態で、ドア体がバール等で強くこじ上げられ、ドア体Ｄのロック体とガイドレール側のロック受け（いずれも図示しない）との係合が解除されることがあっても、一対のドア体Ｄが掛金部材２と受金部材３で結合されているので、これを開方向へ移動させることができない。
【符号の説明】
【００１３】
１    ロック装置
２    掛金部材
２１  枠体
２２  フック片
２２ｂ摘み
２３  施錠レバー
２３ｄばね
３    受金部材
３１  枠体
３２  保持ピン
３３  解錠レバー
３３ｄばね
【図１】
2011256585.tif 000003
【図２】
2011256585.tif 000004
【図３】
2011256585.tif 000005
【図４】
2011256585.tif 000006